(57)【要約】【課題】インキ保溜部材の鍔部に白化現象が生じることを防止し、外部に露出する透明性のインキ保溜部材の前部の外観性が損なわれるおそれがない直液式筆記具を提供する。【解決手段】軸筒４の前端開口部にインキ保溜部材３のインキ保溜部３５を嵌入する。インキ保溜部材３のインキ保溜部３５の前方に、直管状の軸心部３１と、該軸心部３１の外周面より径方向外方に突出する鍔部３２とを設ける。鍔部３２が、軸筒４の前端に当接し且つ軸筒４の前端より外部に露出してなる。インキ保溜部材３が透明性の合成樹脂からなる。鍔部３２の基端部の前面及び後面に肉盛部３４Ａ，３４Ｂを設ける。【選択図】  図１
2006116798.tif 000002
【特許請求の範囲】
【請求項１】
インキを直に貯溜するインキタンクとペン先との間に、インキタンク内の圧力上昇に伴う溢出インキを一時的に保持するインキ保溜部材を設け、前記インキ保溜部材が、前記溢出インキを一時的に保持するインキ保溜部と、前記インキ保溜部の前方に突出する直管状の軸心部と、該軸心部の外周面より径方向外方に突出する鍔部とを一体に形成した合成樹脂製の部材であり、前記インキタンクを軸筒内に設け、前記軸筒の前端開口部に前記インキ保溜部材のインキ保溜部を嵌入し、前記鍔部を、前記軸筒の前端に当接させ且つ前記軸筒の前端より外部に露出させてなる直液式筆記具であって、前記インキ保溜部材を透明性の合成樹脂により形成し、前記鍔部の基端部の前面及び後面に肉盛部を設けたことを特徴とする直液式筆記具。
【請求項２】
インキを直に貯溜するインキタンクとペン先との間に、インキタンク内の圧力上昇に伴う溢出インキを一時的に保持するインキ保溜部材を設け、前記インキ保溜部材が、前記溢出インキを一時的に保持するインキ保溜部と、前記インキ保溜部の前方に突出する直管状の軸心部と、該軸心部の外周面より径方向外方に突出する鍔部とを一体に形成した合成樹脂製の部材であり、前記インキタンクを軸筒内に設け、前記軸筒の前端開口部に前記インキ保溜部材のインキ保溜部を嵌入し、前記鍔部を、前記軸筒の前端に当接させ且つ前記軸筒の前端より外部に露出させてなる直液式筆記具であって、前記インキ保溜部材を透明性の合成樹脂により形成し、前記鍔部の基端部の後面に肉盛部を設けたことを特徴とする直液式筆記具。
【請求項３】
インキを直に貯溜するインキタンクとペン先との間に、インキタンク内の圧力上昇に伴う溢出インキを一時的に保持するインキ保溜部材を設け、前記インキ保溜部材が、前記溢出インキを一時的に保持するインキ保溜部と、前記インキ保溜部の前方に突出する直管状の軸心部と、該軸心部の外周面より径方向外方に突出する鍔部とを一体に形成した合成樹脂製の部材であり、前記インキタンクを軸筒内に設け、前記軸筒の前端開口部に前記インキ保溜部材のインキ保溜部を嵌入し、前記鍔部を、前記軸筒の前端に当接させ且つ前記軸筒の前端より外部に露出させてなる直液式筆記具であって、前記インキ保溜部材を透明性の合成樹脂により形成し、前記鍔部の基端部の前面に肉盛部を設けたことを特徴とする直液式筆記具。
【請求項４】
前記肉盛部は、前記軸心部の外周面に環状に形成され且つ縦断面がＣ面取り形状である請求項１、２または３記載の直液式筆記具。
【請求項５】
前記肉盛部のＣ面取り寸法が０．３ｍｍ〜１．０ｍｍである請求項４記載の直液式筆記具。
【請求項６】
前記肉盛部は、前記軸心部の外周面に環状に形成され且つ縦断面がＲ面取り形状である請求項１、２または３記載の直液式筆記具。
【請求項７】
前記肉盛部のＲ面取り寸法が０．３ｍｍ〜１．０ｍｍである請求項６記載の直液式筆記具。
【発明の詳細な説明】
【技術分野】
【０００１】
本発明は、直液式筆記具に関する。詳細には、軸筒の前端開口部にインキ保溜部材のインキ保溜部を嵌入した直液式筆記具に関する。尚、本発明で「前」とはペン先側を指し、「後」とはインキタンク側を指す。
【背景技術】
【０００２】
従来、この種の直液式筆記具において、合成樹脂製のインキ保溜部材を軸筒の前端開口部に嵌入し、該インキ保溜部材の鍔部を軸筒の前端に当接させるものが知られている。（例えば、特許文献１）
【０００３】
前記従来の直液式筆記具において、図９に示すように、インキ保溜部材のインキ保溜部を軸筒１０の前端開口部に嵌入し、該インキ保溜部材のインキ保溜部前方に位置する鍔部１１を軸筒１０の前端に当接させた際に、前記鍔部１１がその基端部１２から前方に僅かに撓み変形され、前記鍔部１１の基端部１２に白化現象が生じるおそれがある。前記インキ保溜部材を透明性の合成樹脂により形成すると、前記鍔部も透明性を有するため、前記白化現象は外部より視覚されやすく、外観性が損なわれるおそれがある。
【０００４】
特に、前記鍔部の軸方向の厚みが薄肉になる程、あるいは鍔部の径方向の長さが長くなる程、前記鍔部は軸筒前端との当接により撓み変形しやすく、前記白化現象が生じやすい。
【０００５】
【特許文献１】実開昭６１−４５１９１号
【発明の開示】
【発明が解決しようとする課題】
【０００６】
本発明は前記従来の問題点を解決するものであって、インキ保溜部材の鍔部に白化現象が生じることを防止し、外部に露出する透明性のインキ保溜部材の前部の外観性が損なわれるおそれがない直液式筆記具を提供しようとするものである。
【課題を解決するための手段】
【０００７】
本発明は、以下の要件を特徴とする。
【０００８】
（請求項１）
インキを直に貯溜するインキタンクとペン先との間に、インキタンク内の圧力上昇に伴う溢出インキを一時的に保持するインキ保溜部材を設け、前記インキ保溜部材が、前記溢出インキを一時的に保持するインキ保溜部と、前記インキ保溜部の前方に突出する直管状の軸心部と、該軸心部の外周面より径方向外方に突出する鍔部とを一体に形成した合成樹脂製の部材であり、前記インキタンクを軸筒内に設け、前記軸筒の前端開口部に前記インキ保溜部材のインキ保溜部を嵌入し、前記鍔部を、前記軸筒の前端に当接させ且つ前記軸筒の前端より外部に露出させてなる直液式筆記具であって、前記インキ保溜部材を透明性の合成樹脂により形成し、前記鍔部の基端部の前面及び後面に肉盛部を設けたことを特徴とする直液式筆記具。
【０００９】
（請求項２）
インキを直に貯溜するインキタンクとペン先との間に、インキタンク内の圧力上昇に伴う溢出インキを一時的に保持するインキ保溜部材を設け、前記インキ保溜部材が、前記溢出インキを一時的に保持するインキ保溜部と、前記インキ保溜部の前方に突出する直管状の軸心部と、該軸心部の外周面より径方向外方に突出する鍔部とを一体に形成した合成樹脂製の部材であり、前記インキタンクを軸筒内に設け、前記軸筒の前端開口部に前記インキ保溜部材のインキ保溜部を嵌入し、前記鍔部を、前記軸筒の前端に当接させ且つ前記軸筒の前端より外部に露出させてなる直液式筆記具であって、前記インキ保溜部材を透明性の合成樹脂により形成し、前記鍔部の基端部の後面に肉盛部を設けたことを特徴とする直液式筆記具。
【００１０】
（請求項３）
インキを直に貯溜するインキタンクとペン先との間に、インキタンク内の圧力上昇に伴う溢出インキを一時的に保持するインキ保溜部材を設け、前記インキ保溜部材が、前記溢出インキを一時的に保持するインキ保溜部と、前記インキ保溜部の前方に突出する直管状の軸心部と、該軸心部の外周面より径方向外方に突出する鍔部とを一体に形成した合成樹脂製の部材であり、前記インキタンクを軸筒内に設け、前記軸筒の前端開口部に前記インキ保溜部材のインキ保溜部を嵌入し、前記鍔部を、前記軸筒の前端に当接させ且つ前記軸筒の前端より外部に露出させてなる直液式筆記具であって、前記インキ保溜部材を透明性の合成樹脂により形成し、前記鍔部の基端部の前面に肉盛部を設けたことを特徴とする直液式筆記具。
【００１１】
（請求項４）
前記肉盛部は、前記軸心部の外周面に環状に形成され且つ縦断面がＣ面取り形状である請求項１、２または３記載の直液式筆記具。
【００１２】
（請求項５）
記肉盛部のＣ面取り寸法が０．３ｍｍ〜１．０ｍｍである請求項４記載の直液式筆記具。
【００１３】
（請求項６）
前記肉盛部は、前記軸心部の外周面に環状に形成され且つ縦断面がＲ面取り形状である請求項１、２または３記載の直液式筆記具。
【００１４】
（請求項７）
前記肉盛部のＲ面取り寸法が０．３ｍｍ〜１．０ｍｍである請求項６記載の直液式筆記具。
【発明の効果】
【００１５】
請求項１により、インキ保溜部材の鍔部に白化現象が生じることを防止し、外部に露出する透明性のインキ保溜部材の前部の外観性が損なわれるおそれがない。
【００１６】
請求項２により、インキ保溜部材の鍔部に白化現象が生じることを防止し、外部に露出する透明性のインキ保溜部材の前部の外観性が損なわれるおそれがない。
【００１７】
請求項３により、インキ保溜部材の鍔部に白化現象が生じることを防止し、外部に露出する透明性のインキ保溜部材の前部の外観性が損なわれるおそれがない。
【００１８】
請求項４により、より一層、鍔部の撓み変形に対する強度が向上し、白化現象の発生が抑えられる。
【００１９】
請求項５により、鍔部の十分な補強がなされ、白化現象の発生を十分に抑えることができる。さらに、肉盛部を鍔部の基端部の前面に設ける場合、鍔部の外観を大きく変更させることがない。また、肉盛部を鍔部の基端部の後面に設ける場合、軸筒前端と鍔部後面が適正に当接可能となる。
【００２０】
請求項６により、より一層、鍔部の撓み変形に対する強度が向上し、白化現象の発生が抑えられる。
【００２１】
請求項７により、鍔部の十分な補強がなされ、白化現象の発生を十分に抑えることができる。さらに、肉盛部を鍔部の基端部の前面に設ける場合、鍔部の外観を大きく変更させることがない。また、肉盛部を鍔部の基端部の後面に設ける場合、軸筒前端と鍔部後面が適正に当接可能となる。
【発明を実施するための最良の形態】
【００２２】
本発明を実施するための最良の形態を説明する。
【００２３】
〔１〕本発明の第１の実施の形態は、インキを直に貯溜するインキタンク５とペン先２との間に、インキタンク５内の圧力上昇に伴う溢出インキを一時的に保持するインキ保溜部材３を設け、前記インキ保溜部材３が、前記溢出インキを一時的に保持するインキ保溜部３５と、前記インキ保溜部３５の前方に突出する直管状の軸心部３１と、該軸心部３１の外周面より径方向外方に突出する鍔部３２とを一体に形成した合成樹脂製の部材であり、前記インキタンク５を軸筒４内に設け、前記軸筒４の前端開口部に前記インキ保溜部材３のインキ保溜部３５を嵌入し、前記鍔部３２を、前記軸筒４の前端に当接させ且つ前記軸筒４の前端より外部に露出させてなる直液式筆記具であって、前記インキ保溜部材３を透明性の合成樹脂により形成し、前記鍔部３２の基端部の前面及び後面に肉盛部３４Ａ，３４Ｂを設けたこと（請求項１）を要件とする。
【００２４】
前記直液式筆記具１（請求項１）は、鍔部３２の基端部の前面と鍔部３２の基端部の後面とに肉盛部３４Ａ，３４Ｂを設けたことにより、鍔部３２の基端部が補強され、鍔部３２が軸筒４の前端に当接した際、鍔部３２の撓み変形を抑え、鍔部３２の基端部に白化現象が発生することを回避できる。その結果、外部に露出する透明性のインキ保溜部材３の前部の外観性が損なわれることがない。
【００２５】
〔２〕本発明の第２の実施の形態は、インキを直に貯溜するインキタンク５とペン先２との間に、インキタンク５内の圧力上昇に伴う溢出インキを一時的に保持するインキ保溜部材３を設け、前記インキ保溜部材３が、前記溢出インキを一時的に保持するインキ保溜部３５と、前記インキ保溜部３５の前方に突出する直管状の軸心部３１と、該軸心部３１の外周面より径方向外方に突出する鍔部３２とを一体に形成した合成樹脂製の部材であり、前記インキタンク５を軸筒４内に設け、前記軸筒４の前端開口部に前記インキ保溜部材３のインキ保溜部３５を嵌入し、前記鍔部３２を、前記軸筒４の前端に当接させ且つ前記軸筒４の前端より外部に露出させてなる直液式筆記具であって、前記インキ保溜部材３を透明性の合成樹脂により形成し、前記鍔部３２の基端部の後面に肉盛部３４Ｂを設けたこと（請求項２）を要件とする。
【００２６】
前記直液式筆記具１（請求項２）は、鍔部３２の基端部の少なくとも後面に肉盛部３４Ｂを設けたことにより、鍔部３２の基端部が補強され、鍔部３２が軸筒４の前端に当接した際、鍔部３２の撓み変形を抑え、鍔部３２の基端部に白化現象が発生することを回避できる。その結果、外部に露出する透明性のインキ保溜部材３の前部の外観性が損なわれることがない。
【００２７】
〔３〕本発明の第３の実施の形態は、インキを直に貯溜するインキタンク５とペン先２との間に、インキタンク５内の圧力上昇に伴う溢出インキを一時的に保持するインキ保溜部材３を設け、前記インキ保溜部材３が、前記溢出インキを一時的に保持するインキ保溜部３５と、前記インキ保溜部３５の前方に突出する直管状の軸心部３１と、該軸心部３１の外周面より径方向外方に突出する鍔部３２とを一体に形成した合成樹脂製の部材であり、前記インキタンク５を軸筒４内に設け、前記軸筒４の前端開口部に前記インキ保溜部材３のインキ保溜部３５を嵌入し、前記鍔部３２を、前記軸筒４の前端に当接させ且つ前記軸筒４の前端より外部に露出させてなる直液式筆記具であって、前記インキ保溜部材３を透明性の合成樹脂により形成し、前記鍔部３２の基端部の前面に肉盛部３４Ａを設けたこと（請求項３）を要件とする。
【００２８】
前記直液式筆記具１（請求項３）は、鍔部３２の基端部の少なくとも前面に肉盛部３４Ａを設けたことにより、鍔部３２の基端部が補強され、鍔部３２が軸筒４の前端に当接した際、鍔部３２の撓み変形を抑え、鍔部３２の基端部に白化現象が発生することを回避できる。その結果、外部に露出する透明性のインキ保溜部材３の前部の外観性が損なわれることがない。
【００２９】
前記直液式筆記具１（請求項１、請求項２、請求項３）において、透明とは、無色透明（非着色透明）、半透明、または有色透明（着色透明）をいう。
【００３０】
尚、本発明（請求項１、請求項２、請求項３）で、肉盛部３４Ａ，３４Ｂは、インキ保溜部材３の鍔部３２と直管状の軸心部３１の外周面との接続境界部分に一体に形成される。前記肉盛部３４Ａ，３４Ｂは、例えば、周状に連続した環状に形成される構成、あるいは周状に分散配置される複数の軸方向に延びるリブからなる構成が挙げられる。
【００３１】
〔４〕前記直液式筆記具１（請求項１、２、３）において、前記肉盛部３４Ａ，３４Ｂは、前記軸心部３１の外周面に環状に形成され且つ縦断面がＣ面取り形状であること（請求項４）が好ましい。それにより、前記リブの場合に比べ、より一層、鍔部３２の撓み変形に対する強度が向上し、白化現象の発生が抑えられる。
【００３２】
〔５〕前記請求項４において、前記肉盛部３４Ａ，３４ＢのＣ面取り寸法が０．３ｍｍ〜１．０ｍｍであること（請求項５）が好ましい。それにより、鍔部３２の十分な補強がなされ、白化現象の発生を十分に抑えることができる。さらに、前記Ｃ面取り寸法の範囲において、鍔部３２の基端部の前面に形成される肉盛部３４Ａの場合、鍔部３２の外観を大きく変更させることがない。また、前記Ｃ面取り寸法の範囲において、鍔部３２の基端部の後面に形成される肉盛部３４Ｂの場合、軸筒４前端と鍔部３２後面とが適正に当接可能となる。
【００３３】
前記肉盛部３４Ａ，３４ＢのＣ面取り寸法が０．３ｍｍ未満では、鍔部３２の十分な補強が成しえないおそれがある。
【００３４】
前記肉盛部３４ＡのＣ面取り寸法が１．０ｍｍを越えると、鍔部３２の基端部の前面に形成される肉盛部３４Ａの場合、鍔部３２の外観が大きく変わってしまうおそれがある。また、鍔部３２の基端部の後面に形成される肉盛部３４Ｂの場合には、前記肉盛部３４ＢのＣ面取り寸法が１．０ｍｍを越えると、インキ保溜部材３を軸筒４の前端開口部に嵌入した際、肉盛部３４Ｂが軸筒４前端に当接し、軸筒４前端との当接状態が不安定となり、軸筒４前端開口部内におけるインキ保溜部材３の前後方向の位置設定が困難となるおそれがある。
【００３５】
〔６〕前記直液式筆記具１（請求項１、２、３）において、前記肉盛部３４Ａ，３４Ｂは、前記軸心部３１の外周面に環状に形成され且つ縦断面がＲ面取り形状であること（請求項６）が好ましい。それにより、前記リブの場合に比べ、より一層、鍔部３２の撓み変形に対する強度が向上し、白化現象の発生が抑えられる。
【００３６】
〔７〕前記直液式筆記具１（請求項６）において、前記肉盛部３４Ａ，３４ＢのＲ面取り寸法が０．３ｍｍ〜１．０ｍｍであること（請求項７）が好ましい。それにより、鍔部３２の十分な補強がなされ、白化現象の発生を十分に抑えることができる。さらに、前記Ｒ面取り寸法の範囲において、鍔部３２の基端部の前面に形成される肉盛部３４Ａの場合、鍔部３２の外観を大きく変更させることがない。また、前記Ｒ面取り寸法の範囲において、鍔部３２の基端部の後面に形成される肉盛部３４Ｂの場合、軸筒４前端と鍔部３２後面とが適正に当接可能となる。
【００３７】
前記肉盛部３４Ａ，３４ＢのＲ面取り寸法が０．３ｍｍ未満では、鍔部３２の十分な補強が成しえないおそれがある。
【００３８】
前記肉盛部３４ＡのＲ面取り寸法が１．０ｍｍを越えると、鍔部３２の基端部の前面に形成される肉盛部３４Ａの場合には、鍔部３２の外観が大きく変わってしまうおそれがある。また、鍔部３２の基端部の後面に形成される肉盛部３４Ｂの場合には、前記肉盛部３４ＢのＲ面取り寸法が１．０ｍｍを越えると、インキ保溜部材３を軸筒４の前端開口部に嵌入した際、肉盛部３４Ｂが軸筒４前端に当接し、軸筒４前端との当接状態が不安定となり、軸筒４前端開口部内におけるインキ保溜部材３の前後方向の位置設定が困難となるおそれがある。
【実施例】
【００３９】
〔第１実施例〕
図１及び図２に本発明の第１実施例を示す。
本実施例の直液式筆記具１は、ペン先２を前端に備えたインキ保溜部材３と、該インキ保溜部材３が嵌入される軸筒４とからなる。
【００４０】
・軸筒
前記軸筒４は、合成樹脂の射出成形から得られる有底円筒体である。前記軸筒４の前端は開口され、後端は閉鎖される。前記軸筒４の前端開口部にインキ保溜部材３が嵌入されると、前記インキ保溜部材３の後方の軸筒４内部には、インキタンク５が形成される。前記インキタンク５内にはインキが直接、貯溜される。
【００４１】
・インキ保溜部材
前記インキ保溜部材３は、透明性の合成樹脂（例えばＡＢＳ樹脂）の射出成形により得られる。前記インキ保溜部材３は、直管状の軸心部３１と、該軸心部３１の外周面に一体に形成される複数の櫛歯部３３と、該櫛歯部３３の前方の軸心部３１の外周面に一体に形成される鍔部３２とを備える。前記櫛歯部３３により、複数の櫛溝からなるインキ保溜部３５が形成される。前記インキ保溜部３５は、インキタンク５からの溢出インキを一時的に保持する部分であり、軸筒４の前端開口部に嵌入される。
【００４２】
・鍔部
前記鍔部３２は、軸心部３１の外周面に環状（円板状）に一体形成される。前記鍔部３２の外周面には、軸筒４内部と外気とを連通可能にするために、軸方向に空気溝３６が貫設される。前記インキ保溜部材３のインキ保溜部３５を軸筒４の前端開口部に嵌入した後、前記鍔部３２の後面は、軸筒４の前端に当接される。前記鍔部３２は、軸筒４の前端より外部に露出される。
【００４３】
・肉盛部
前記鍔部３２の基端部の前面及び前記鍔部３２の基端部の後面には、Ｃ面取り形状の肉盛部３４Ａ，３４Ｂが、軸心部３１外周面に環状に一体形成される。前記鍔部３２の基端部前面のＣ面取り形状の肉盛部３４Ａは、Ｃ面取り寸法が０．５ｍｍに設定される。前記鍔部３２の基端部後面のＣ面取り形状の肉盛部３４Ｂは、Ｃ面取り寸法が０．７ｍｍに設定される。
【００４４】
〔第２実施例〕
図３に本発明の第２実施例を示す。
本実施例の直液式筆記具１は、第１実施例の変形例であり、第１実施例と異なる点は、Ｃ面取り形状の肉盛部３４Ｂを鍔部３２の基端部の後面のみに設けた点である。
【００４５】
前記肉盛部３４Ｂは、第１実施例同様、軸心部３１外周面に環状に一体形成される。前記肉盛部３４ＢのＣ面取り寸法は、第１実施例同様、０．７ｍｍに設定される。
【００４６】
尚、本実施例の他の構成は第１実施例同様であるため、説明は省略する。
【００４７】
〔第３実施例〕
図４に本発明の第３実施例を示す。
本実施例の直液式筆記具１は、第１実施例の変形例であり、第１実施例と異なる点は、Ｃ面取り形状の肉盛部３４Ａを鍔部３２の基端部の前面のみに設けた点である。
【００４８】
前記肉盛部３４Ａは、第１実施例同様、軸心部３１外周面に環状に一体形成される。前記肉盛部３４ＡのＣ面取り寸法は、第１実施例同様、０．５ｍｍに設定される。
【００４９】
尚、本実施例の他の構成は第１実施例同様であるため、説明は省略する。
【００５０】
〔第４実施例〕
図５及び図６に本発明の第４実施例を示す。
本実施例の直液式筆記具１は、ペン先２を前端に備えたインキ保溜部材３と、該インキ保溜部材３が嵌入される軸筒４とからなる。
【００５１】
・軸筒
前記軸筒４は、合成樹脂の射出成形から得られる有底円筒体である。前記軸筒４の前端は開口され、後端は閉鎖される。前記軸筒４の前端開口部にインキ保溜部材３が嵌入されると、前記インキ保溜部材３の後方の軸筒４内部には、インキタンク５が形成される。前記インキタンク５内にはインキが直接、貯溜される。
【００５２】
・インキ保溜部材
前記インキ保溜部材３は、透明性の合成樹脂（例えばＡＢＳ樹脂）の射出成形により得られる。前記インキ保溜部材３は、直管状の軸心部３１と、該軸心部３１の外周面に一体に形成される複数の櫛歯部３３と、該櫛歯部３３の前方の軸心部３１の外周面に一体に形成される鍔部３２とを備える。前記櫛歯部３３により、複数の櫛溝からなるインキ保溜部３５が形成される。前記インキ保溜部３５は、インキタンク５からの溢出インキを一時的に保持する部分であり、軸筒４の前端開口部に嵌入される。
【００５３】
・鍔部
前記鍔部３２は、軸心部３１の外周面に環状（円板状）に一体形成される。前記鍔部３２の外周面には、軸筒４内部と外気とを連通可能にするために、軸方向に空気溝３６が貫設される。前記インキ保溜部材３のインキ保溜部３５を軸筒４の前端開口部に嵌入した後、前記鍔部３２の後面は、軸筒４の前端に当接される。前記鍔部３２は、軸筒４の前端より外部に露出される。
【００５４】
・肉盛部
前記鍔部３２の基端部の前面及び前記鍔部３２の基端部の後面には、Ｒ面取り形状の肉盛部３４Ａ，３４Ｂが軸心部３１外周面に環状に一体形成される。前記鍔部３２の基端部前面のＲ面取り形状の肉盛部３４Ａは、Ｒ面取り寸法が０．５ｍｍに設定される。前記鍔部３２の基端部後面のＲ面取り形状の肉盛部３４Ｂは、Ｒ面取り寸法が０．７ｍｍに設定される。
【００５５】
〔第５実施例〕
図７に本発明の第５実施例を示す。
本実施例の直液式筆記具１は、第４実施例の変形例であり、第４実施例と異なる点は、Ｒ面取り形状の肉盛部３４Ｂを鍔部３２の基端部の後面のみに設けた点である。
【００５６】
前記肉盛部３４Ｂは、第４実施例同様、軸心部３１外周面に環状に一体形成される。前記肉盛部３４ＢのＲ面取り寸法は、０．５ｍｍに設定される。
【００５７】
尚、本実施例の他の構成は第４実施例同様であるため、説明は省略する。
【００５８】
〔第６実施例〕
図８に本発明の第６実施例を示す。
本実施例の直液式筆記具１は、第４実施例の変形例であり、第４実施例と異なる点は、Ｒ面取り形状の肉盛部３４Ａを鍔部３２の基端部の前面のみに設けた点である。
【００５９】
前記肉盛部３４Ａは、第４実施例同様、軸心部３１外周面に環状に一体形成される。前記肉盛部３４ＡのＲ面取り寸法は、第４実施例同様、０．５ｍｍに設定される。
【００６０】
尚、本実施例の他の構成は第４実施例同様であるため、説明は省略する。
【００６１】
前記第１実施例〜第６実施例の直液式筆記具１は、いずれも、軸筒４の前端開口部にインキ保溜部材３のインキ保溜部３５を嵌入し、鍔部３２後面を軸筒４前端と当接させた際、鍔部３２の基端部に白化現象が発生しなかった。そのため、外部に露出する透明性を有するインキ保溜部材３の前部の外観性が損なわれることはなかった。
【図面の簡単な説明】
【００６２】
【図１】本発明の第１実施例の縦断面図である。
【図２】図１のＳ部拡大縦断面図である。
【図３】本発明の第２実施例の要部拡大縦断面図である。
【図４】本発明の第３実施例の要部拡大縦断面図である。
【図５】本発明の第４実施例の縦断面図である。
【図６】図５のＴ部拡大縦断面図である。
【図７】本発明の第５実施例の要部拡大縦断面図である。
【図８】本発明の第６実施例の要部拡大縦断面図である。
【図９】従来の不具合を説明する要部拡大縦断面図である。
【符号の説明】
【００６３】
１  直液式筆記具
２  ペン先
３  インキ保溜部材
３１  軸心部
３２  鍔部
３３  櫛歯部
３４Ａ  肉盛部  
３４Ｂ  肉盛部
３５  インキ保溜部
３６  空気溝
４  軸筒
５  インキタンク
【図１】
2006116798.tif 000003
【図２】
2006116798.tif 000004
【図３】
2006116798.tif 000005
【図４】
2006116798.tif 000006
【図５】
2006116798.tif 000007
【図６】
2006116798.tif 000008
【図７】
2006116798.tif 000009
【図８】
2006116798.tif 000010
【図９】
2006116798.tif 000011